(57)【要約】【課題】可燃性を有するＨＣ冷媒を用いた冷却装置を備えた自動販売機において、冷媒漏れに対するリスクを低減し安全性を高める。【解決手段】自動販売機に圧縮機等と可燃性冷媒７とからなる冷却装置６と、庫内ファン４と、冷却器３に冷却器温度検知手段８を備え、前記冷却器温度検知手段８が一定時間所定温度以下になった場合は、庫内ファン４の故障と判断し、表示部９に故障表示させることでメンテナンスを促し、庫内ファン４の修理を行うことで継続して安全性を確保することができる。【選択図】図１
2005141472.tif 000002
【特許請求の範囲】
【請求項１】
商品を収納する断熱構造の収納室と、収納室内に商品を収納する収納棚と、収納室を冷却する冷却器と収納室内に空気を循環させる庫内ファンと、可燃性冷媒とからなる冷却装置と、冷却器に設けた冷却器温度検知手段を備え、前記冷却器温度検知手段が一定時間所定温度以下になった場合は、庫内ファンの故障と判断し、表示部に故障表示を行うことを特徴とした自動販売機。
【請求項２】
収納室内に設けた庫内温度検知手段を備え、前記冷却器温度検知手段との温度差が所定温度より大きい場合は、庫内ファンの故障と判断し表示部に故障表示を行うことを特徴とした請求項１に記載の自動販売機。
【請求項３】
警報ランプを備え、前記庫内温度検知手段を備え、前記冷却器温度検知手段との温度差が所定温度より大きい場合は、庫内ファンの故障と判断し、警報ランプを点灯または点滅させることを特徴とした請求項１または２に記載の自動販売機。
【請求項４】
警報ブザーを備え、前記庫内温度検知手段を備え、前記冷却器温度検知手段との温度差が所定温度より大きい場合は、庫内ファンの故障と判断し、警報ブザーを鳴らすことを特徴とした請求項１または２に記載の自動販売機。
【請求項５】
前記庫内温度検知手段を備え、前記冷却器温度検知手段との温度差が所定温度より大きい場合は、庫内ファンの故障と判断し、前記冷却装置への通電を停止させることを特徴とした請求項１から4のいずれか一項に記載の自動販売機。
【請求項６】
前記庫内温度検知手段を備え、前記冷却器温度検知手段との温度差が所定温度より大きい場合は、庫内ファンの故障と判断し、扉の商品選択釦に売り切れ表示を行い、冷却設定庫内の販売を停止させることを特徴とした請求項１から５のいずれか一項に記載の自動販売機。
【発明の詳細な説明】
【技術分野】
【０００１】
本発明は、可燃性冷媒を使用した冷却装置を用いた自動販売機に関するものである。
【背景技術】
【０００２】
近年、地球のオゾン層を保護する観点から、冷却装置の冷凍サイクルに使用されていた冷媒ＣＦＣ（クロロフルオロカーボン）−１２あるいはＨＣＦＣ（ハイドロクロロフルオロカーボン）−２２といった塩素原子を含んだ冷媒の使用が規制され、塩素原子を含まず、オゾン層を破壊しないＨＦＣ（ハイドロフルオロカーボン）冷媒への転換が進行している。
【０００３】
また、従来、主にＨＣＦＣ−２２を用いていた自動販売機においては、その代替冷媒としてＨＦＣ冷媒の混合冷媒であるＲ４０７Ｃが採用され販売されている。
【０００４】
しかしながら、現在用いられているＲ４０７ＣなどのＨＦＣ冷媒は、オゾン層破壊はないものの、地球温暖化係数が高いため、地球温暖化に対しては不十分な冷媒となり、そのため地球温暖化係数の低い冷媒として、ＨＦＣに代わってＨＣ（ハイドロカーボン）等の自然系冷媒が注目されている。
【０００５】
一方、ＨＣ系冷媒は可燃性を有しているため、冷却装置における冷凍サイクルの冷媒として使用する場合には安全性確保が課題であり、冷媒漏れに対する配慮、つまり拡散対策による事前予防策が必要である。
【０００６】
このことから、密閉された庫内に可燃性冷媒を漏らさないようにした例として冷凍装置をカスケード式に接続し、可燃性冷媒を使用した冷凍サイクルは庫外に設け、庫内側にはブラインを流し冷却する方法（例えば、特許文献１参照）があります。
【０００７】
また、可燃性冷媒の漏洩が生じても内部への冷媒漏れを少なくし、発火、爆発の危険性を回避できる冷蔵庫について開示したもの（例えば、特許文献２参照）があります。
【０００８】
また、庫内での冷媒の漏れを検知し、ダンパーを設けた排気口より漏洩冷媒を排出させる自動販売機について開示したもの（例えば、特許文献３参照）があります。
【特許文献１】特開２００１−１１８１３４号公報
【特許文献２】特開平９−４２８１７号公報
【特許文献３】特開２００１−１３４８２７号公報
【発明の開示】
【発明が解決しようとする課題】
【０００９】
しかし、庫内に冷媒漏洩時には、速やかに周囲に拡散させる必要がある。
【００１０】
庫内に漏れた冷媒を拡散させるには、主に庫内ファンの風による拡散効果が大きいと考えられる。そのため、庫内ファンは庫内を冷却させる役割の他に、漏洩冷媒を拡散させる役割をも兼ねている。
【００１１】
そこで、万一庫内ファンが故障していた時に、冷媒漏洩が発生した場合には漏洩冷媒を拡散させることができないため、庫内ファンが常に正常に運転できるように監視する必要がある。
【００１２】
本発明は、上記従来の課題を解決するもので、冷凍サイクルの冷媒として可燃性冷媒を使用しても、リスクを低減した安全性の高い自動販売機を提供することを目的とする。
【課題を解決するための手段】
【００１３】
前記従来の課題を解決するために、本発明の自動販売機は、冷却器温度検知手段により庫内ファンモータの故障時に、冷却装置を停止させるとともに、警報ランプの点灯または、警報ブザーを鳴らすものである
【発明の効果】
【００１４】
本発明の自動販売機は、庫内ファンモータの故障時に、冷却装置を停止させるとともに、警報ランプの点灯または、警報ブザーを鳴らしてメンテナンスを促し、修理を行うことで継続して安全性を確保できる。
【発明を実施するための最良の形態】
【００１５】
第１の発明は、収納室と、収納室内に商品を収納する収納棚と、収納室を冷却する冷却器と収納室内に空気を循環させる庫内ファンと、可燃性冷媒とからなる冷却装置と、冷却器に設けた冷却器温度検知手段を備え、前記冷却器温度検知手段が一定時間所定温度以下になった場合は、庫内ファンの故障と判断し、庫内ファンによる空気の拡散により可燃性ガスの空気中の濃度を早く低下させ冷媒漏れ時のリスクを低減し安全性確保を行うようにしているので、庫内ファンの故障時に表示部に故障表示させることでメンテナンスを促し、修理を行うことで継続して安全性を確保できる。
【００１６】
第２の発明は、収納室内設けた庫内温度検知手段を備え、前記冷却器温度検知手段と前記庫内温度検知手段の温度差が所定温度より大きい場合は、庫内ファンの故障と判断し、表示部に故障表示を行うものであり、故障判定を前記冷却器温度検知手段と前記庫内温度検知手段の温度差にて行うので、より確実に早く行うことができ、庫内ファンの故障時に表示部に故障表示させることでメンテナンスを促し、修理を行うことで継続して安全性を確保できる。
【００１７】
第３の発明は、警報ランプを備え、前記冷却器温度検知手段と前記庫内温度検知手段の温度差が所定温度より大きい場合は、庫内ファンの故障と判断し、表示部に故障表示を行うとともに警報ランプを点灯または点滅させるものであり、ひと目で故障を知らしめることができ庫内ファンの故障時に、より早く確実にメンテナンスを促し、修理を行うことで継続して安全性を確保できる。
【００１８】
第４の発明は、警報ブザーを備え、前記冷却器温度検知手段と前記庫内温度検知手段の温度差が所定温度より大きい場合は、庫内ファンの故障と判断し、表示部に故障表示を行うとともに警報ブザーを鳴らすものであり、音により故障を知らしめることができ庫内ファンの故障時に、より早く確実にメンテナンスを促し、修理を行うことで継続して安全性を確保できる。
【００１９】
第５の発明は、前記冷却器温度検知手段と前記庫内温度検知手段の温度差が所定温度より大きい場合は、庫内ファンの故障と判断し、表示部に故障表示を行うとともに前記冷却装置への通電を停止させるものであり、庫内ファンの故障状態での冷却装置の運転は冷却器にて熱交換をしないため低圧圧力が低下し、低圧側温度がするために液冷媒が圧縮機にもどり、圧縮機の負担を増大させるので、庫内ファンの故障時に冷却装置を停止させて信頼性を確保したうえで、庫内ファンのメンテナンスを促し、修理を行うことで継続して安全性を確保できる。
【００２０】
第６の発明は、前記冷却器温度検知手段と前記庫内温度検知手段の温度差が所定温度より大きい場合は、庫内ファンの故障と判断し、表示部に故障表示を行うとともに扉の商品選択釦に売り切れ表示を行い、冷却設定庫内の販売を停止させるものであり、販売停止にすることですぐに誰にでも異常な状態であることを知らしめることができ、庫内ファンの故障時に、より早く確実に庫内ファンのメンテナンスを促し、修理を行うことで継続して安全性を確保できる。
【００２１】
以下、本発明による自動販売機の実施の形態について、図面を参照しながら説明する。本実施の形態によって本発明が限定されるものではない。
【００２２】
（実施の形態１）
図１は、本発明の実施の形態１による自動販売機の側面断面図である。図１において、収納室１は断熱材により半密閉構造となっている。収納棚２は前記収納室１内に設けた販売される商品を冷却保存するものである。冷却器３は収納室を冷却するものである。庫内ファン４は収納室１に設けられ、ダクト５は冷気を循環させるためのものである。冷却装置６は圧縮機（図示せず）と凝縮器（図示せず）と減圧装置（図示せず）と冷却器３を順次接続している。可燃性冷媒７は冷却装置６に封入されたもので、Ｒ２９０単一冷媒、Ｒ６００ａ単一冷媒もしくはＲ２９０を含む混合冷媒である。冷却器温度検知手段８は前記冷却器に密着して取り付けられたもので、例えばサーミスタ等である。表示部９は扉１０に設けられており、表示部９は実際にはリモコン操作部に設けられた表示や、制御ボックスに設けられた表示等である。
【００２３】
以上のように構成された自動販売機についてその動作を説明する。
【００２４】
収納棚２に収納された商品を冷却する場合、冷却装置６の運転を行い、庫内ファン４により冷却器３で冷却された冷気を循環させる。庫内ファン４により冷気は収納棚２に収納された商品を冷却し、ダクト５を通り再度冷却器３へ戻り冷却を繰り返す。
【００２５】
このとき冷却装置６に封入された可燃性冷媒７は、圧縮機（図示せず）で圧縮され高温高圧ガスとなり、凝縮器（図示せず）で液化される。液化した可燃性冷媒７は、減圧装置（図示せず）で減圧され、冷却器３で蒸発しガス化する。ガス化するとき蒸発潜熱により冷却器が冷却され、庫内ファン４により冷気が収納室１を循環して商品が冷却される。
【００２６】
可燃性冷媒７は冷却装置６に封入され密閉されているので、通常使用においては漏れ出すこともなく心配ないが、誤って配管を傷つけたり、配管振動などにより配管が損傷し、庫内で不測に冷媒が漏れると、庫内ファン４により拡散され可燃性ガスの空気中の濃度を早く低下させることができる。Ｒ２９０単一冷媒、Ｒ６００ａ単一冷媒もしくはＲ２９０を含む混合冷媒はいずれも空気に対する比重が大きいため、下方に潜るような状態で拡散していく。よって、庫内ファン４により拡散された可燃性冷媒７は商品搬出口１１等の隙から自動販売機の外部へ排出され、自動販売機の周辺により早く拡散させることができる。
【００２７】
図２は、本発明の実施の形態１による自動販売機のブロック図である。図３は、同実施の形態の動作を示すフローチャートである。
【００２８】
同図において、比較判定は冷却器温度検知手段８で検知した冷却器３の温度と予め設定されている所定の判定温度とを比較判定手段１２にてするものである。演算制御部１３は前記比較判定手段１２からの信号を基に表示部９に故障表示を行うもので前記比較判定手段１２を内蔵したものである。タイマー１４は冷却器３の温度が判定温度以下の場合に時間を計測するものである。
【００２９】
以上のように構成された自動販売機についてその要部動作を図３のフローチャートを参照して説明する。
【００３０】
まず、ステップ１において、冷却器温度検知手段８により冷却器３の温度Ｔｃを検知する。次に、ステップ２において比較判定手段１２で予め設定されている所定の判定温度Ｔ１と比較判定を行う。ＴｃがＴ１より高い場合はステップ１に戻る。ＴｃがＴ１より低い場合は、ステップ３にてタイマー１４にて一定の時間を計測し、ステップ４にて再度冷却器温度検知手段８により冷却器３の温度Ｔｃを検知する。ステップ５にて比較判定手段１２で予め設定されている所定の判定温度Ｔ１と比較判定を行う。ＴｃがＴ１より高い場合はステップ１に戻る。ＴｃがＴ１より低い場合は、庫内ファン４が故障であると判定し、ステップ６において表示部９に庫内ファン４の故障表示を行う。
【００３１】
つまり、庫内ファン４の故障時は、冷却器３で蒸発した低温低圧ガスは、庫内ファン４により熱交換されないので、冷却器３の温度は低下する。よって、冷却器３の温度が一定時間所定温度以下になることで庫内ファン４の故障を判定することができる。
【００３２】
以上のように本実施の形態の自動販売機は、収納室１と冷却器３と庫内ファン４と可燃性冷媒７とからなる冷却装置６と、冷却器３に密着して取り付けられた冷却器温度検知手段８とから構成され、前記冷却器温度検知手段８が一定時間所定温度以下の場合は、庫内ファン４の故障と判断し、表示部９に故障表示を行うものであり、庫内ファン４のメンテナンスを促し、修理を行うことで継続して安全性を確保することができる。
【００３３】
（実施の形態２）
以下、本発明による自動販売機の実施の形態２について、図面を参照しながら説明する。なお、実施の形態１と同一構成については同一符号を付して、詳細な説明を省略する。
【００３４】
図４は、本発明の実施の形態２による自動販売機の側面断面図である。図５は、本発明の実施の形態２による自動販売機のブロック図である。図６は、同実施の形態の動作を示すフローチャートである。
【００３５】
図において、庫内温度検知手段１５は収納棚２の下部に取り付けられており、例えばサーミスタ等である。比較判定手段１２ａは庫内温度検知手段１５で検知した庫内温と冷却器温度検知手段８で検知した冷却器３の温度とを比較判定するものである。演算制御部１３ａは前記比較判定手段１２ａからの信号を基に表示部９に故障表示を行うもので前記比較判定手段１２ａを内蔵したものである。タイマー１４ａは冷却器３の温度と庫内温度の温度差が比較判定温度より大きい場合は時間を計測するものである。
【００３６】
以上のように構成された自動販売機についてその要部動作を図６のフローチャートを参照して説明する。
【００３７】
まず、ステップ７において、冷却器温度検知手段８により冷却器３の温度Ｔｃを検知する。次にステップ８において、庫内温度検知手段１５により庫内温度Ｔａを検知し、ステップ９において冷却器３の温度Ｔｃと庫内温度Ｔａの温度差Ｔｘを比較判定手段１２ａで予め設定されている所定の判定温度Ｔ２と比較判定を行う。冷却器３の温度Ｔｃと庫内温度Ｔａの温度差ＴｘがＴ２より小さい場合はステップ７に戻る。冷却器３の温度Ｔｃと庫内温度Ｔａの温度差ＴｘがＴ２より大きい場合は、ステップ１０にてタイマー１４ａにて一定の時間を計測し、ステップ１１にて再度冷却器温度検知手段８により冷却器３の温度Ｔｃを検知し、ステップ１２にて庫内温度検知手段１５により庫内温度Ｔａを検知する。ステップ１３にて冷却器３の温度Ｔｃと庫内温度Ｔａの温度差Ｔｘを比較判定手段１２ａで予め設定されている所定の判定温度Ｔ２と比較判定を行う。ＴｘがＴ２より小さい場合はステップ７に戻る。ＴｘがＴ２より大きい場合は、庫内ファン４が故障であると判定し、ステップ１４において演算制御部１３ａにより表示部９に庫内ファン４の故障表示を行う。
【００３８】
つまり、庫内ファン４の故障時は、冷却器３で蒸発した低温低圧ガスは、庫内ファン４により熱交換されないので、冷却器３の温度は低下する。よって、冷却器温度と庫内温度の差が一定時間所定温度以上大きくなることで庫内ファン４の故障を判定することができる。
【００３９】
よって、冷却器３の温度と庫内温度の差が一定時間所定温度以上大きくなることで故障判定を行うので、庫内ファン４の故障をより確実に早く判定することができる。
【００４０】
以上のように本実施の形態の自動販売機は、収納棚２の下部に庫内温度検知手段１５を備え、庫内温度検知手段１５で検知した庫内温度と冷却器温度検知手段８で検知した冷却器３の温度差が一定時間に決められた所定温度をより大きい場合は、庫内ファン４の故障と判断し表示部９に故障表示を行うものであり、故障判定を庫内温度と冷却器温度の温度差をみて行うので、より確実に早く行うことができ、庫内ファン４の故障時に表示部９に故障表示させることでメンテナンスを促し、修理を行うことで継続して安全性を確保することができる。
【００４１】
（実施の形態３）
以下、本発明による自動販売機の実施の形態３について、図面を参照しながら説明する。なお、実施の形態１、実施の形態２と同一構成については同一符号を付して、詳細な説明を省略する。
【００４２】
図７は、本発明の実施の形態３による自動販売機の側面断面図である。図８は、本発明の実施の形態３による自動販売機のブロック図である。図９は、同実施の形態の動作を示すフローチャートである。
【００４３】
図において、警報ランプ１６は扉１０に取り付けられている。比較判定手段１２ａは庫内温度検知手段１５で検知した庫内温度と冷却器温度検知手段８で検知した冷却器３の温度とを比較判定するものである。演算制御部１３ａは前記比較判定手段１２ａからの信号を基に表示部９に故障表示を行うとともに警報ランプ１６を点灯または点滅させるもので前記比較判定手段１２ａを内蔵したものである。
【００４４】
以上のように構成された自動販売機についてその要部動作を図９のフローチャートを参照して説明する。
【００４５】
まず、ステップ１５において、冷却器温度検知手段８により冷却器３の温度Ｔｃを検知する。次にステップ１６において、庫内温度検知手段１５により庫内温度Ｔａを検知し、ステップ１７において冷却器３の温度Ｔｃと庫内温度Ｔａの温度差Ｔｘを比較判定手段１２ａで予め設定されている所定の判定温度Ｔ２と比較判定を行う。冷却器３の温度Ｔｃと庫内温度Ｔａの温度差ＴｘがＴ２より小さい場合はステップ１５に戻る。冷却器３の温度Ｔｃと庫内温度Ｔａの温度差ＴｘがＴ２より大きい場合は、ステップ１８にてタイマー１４ａにて一定の時間を計測し、ステップ１９にて再度冷却器温度検知手段８により冷却器３の温度Ｔｃを検知し、ステップ２０にて庫内温度検知手段１５により庫内温度Ｔａを検知する。ステップ２１にて冷却器３の温度Ｔｃと庫内温度Ｔａの温度差Ｔｘを比較判定手段１２ａで予め設定されている所定の判定温度Ｔ２と比較判定を行う。ＴｘがＴ２より小さい場合はステップ１５に戻る。ＴｘがＴ２より大きい場合は、庫内ファン４が故障であると判定し、ステップ２２において演算制御部１３ａにより表示部９に庫内ファン４の故障表示を行う。さらにステップ２３において演算制御部１３ａにより警報ランプ１６を点灯または点滅させる。
【００４６】
つまり、庫内ファン４の故障時は、冷却器３で蒸発した低温低圧ガスは、庫内ファン４により熱交換されないので、冷却器３の温度は低下する。
【００４７】
よって、冷却器３の温度と庫内温度の差が一定時間所定温度以上大きくなることで故障判定を行うので、庫内ファン４の故障をより確実に早く判定することができ、庫内ファン４の故障時に表示部９に故障表示させるとともに警報ランプ１６を点灯または点滅させることで故障を確実に知らしめることができる。
【００４８】
以上のように本実施の形態の自動販売機は、警報ランプ１６と収納棚の下部に庫内温度検知手段１５を備え、庫内温度検知手段１５で検知した庫内温度と冷却器温度検知手段８で検知した冷却器３の温度差が一定時間所定温度以上大きくなることで庫内ファン４の故障と判断し、表示部９に故障表示を行うとともに警報ランプ１６を点灯または点滅させることで扉１０を開けると一目瞭然に故障を確実に知らしめ、メンテナンスを促し、修理を行うことで継続して安全性を確保することができる。
【００４９】
（実施の形態４）
以下、本発明による自動販売機の実施の形態４について、図面を参照しながら説明する。なお、実施の形態１、実施の形態２、実施の形態３と同一構成については同一符号を付して、詳細な説明を省略する。
【００５０】
図１０は、本発明の実施の形態４による自動販売機の側面断面図である。図１１は、本発明の実施の形態４による自動販売機のブロック図である。図１２は、同実施の形態の動作を示すフローチャートである。
【００５１】
図において、警報ブザー１７は扉１０に取り付けられている。比較判定手段１２ａは庫内温度検知手段１５で検知した庫内温度と冷却器温度検知手段８で検知した冷却器３の温度とを比較判定するものである。演算制御部１３ａは前記比較判定手段１２ａからの信号を基に表示部９に故障表示を行うとともに警報ブザー１７を鳴らすもので前記比較判定手段１２ａを内蔵したものである。
【００５２】
以上のように構成された自動販売機についてその要部動作を図１２のフローチャートを参照して説明する。
【００５３】
まず、ステップ２４において、冷却器温度検知手段８により冷却器３の温度Ｔｃを検知する。次にステップ２５において、庫内温度検知手段１５により庫内温度Ｔａを検知し、ステップ２６において冷却器３の温度Ｔｃと庫内温度Ｔａの温度差Ｔｘを比較判定手段１２で予め設定されている所定の判定温度Ｔ２と比較判定を行う。冷却器３の温度Ｔｃと庫内温度Ｔａの温度差ＴｘがＴ２より小さい場合はステップ２４に戻る。冷却器３の温度Ｔｃと庫内温度Ｔａの温度差ＴｘがＴ２より大きい場合は、ステップ２７にてタイマー１４ａにて一定の時間を計測し、ステップ２８にて再度冷却器温度検知手段８により冷却器３の温度Ｔｃを検知し、ステップ２９にて庫内温度検知手段１５により庫内温度Ｔａを検知する。ステップ３０にて冷却器３の温度Ｔｃと庫内温度Ｔａの温度差Ｔｘを比較判定手段１２ａで予め設定されている所定の判定温度Ｔ２と比較判定を行う。ＴｘがＴ２より小さい場合はステップ２４に戻る。ＴｘがＴ２より大きい場合は、庫内ファン４が故障であると判定し、ステップ３１において演算制御部１３ａにより表示部９に庫内ファン４の故障表示を行う。さらにステップ３２において演算制御部１３ａにより警報ブザー１７を鳴らす。
【００５４】
つまり、庫内ファン４の故障時は、冷却器３で蒸発した低温低圧ガスは、庫内ファン４により熱交換されないので、冷却器３の温度は低下する。
【００５５】
よって、冷却器３の温度と庫内温度の差が一定時間所定温度以上大きくなることで故障判定を行うので、庫内ファン４の故障をより確実に早く判定することができ、庫内ファン４の故障時に表示部９に故障表示させるとともに警報ブザー１７を鳴らすことで音により故障を確実に知らしめることができる。
【００５６】
以上のように本実施の形態の自動販売機は、警報ブザー１７と収納棚２の下部に庫内温度検知手段１５を備え、庫内温度検知手段１５で検知した庫内温度と冷却器温度検知手段８で検知した冷却器３の温度の差が一定時間所定温度以上大きくなることで庫内ファン４の故障と判断し表示部９に故障表示を行うとともに警報ブザー１７を鳴らすことで扉を閉めた状態においても音により故障を確実に知らしめ、メンテナンスを促し、修理を行うことで継続して安全性を確保することができる。
【００５７】
（実施の形態５）
以下、本発明による自動販売機の実施の形態５について、図面を参照しながら説明する。なお、実施の形態１から実施の形態４と同一構成については同一符号を付して、詳細な説明を省略する。
【００５８】
図１３は、本発明の実施の形態５による自動販売機のブロック図である。図１４は、同実施の形態の動作を示すフローチャートである。
【００５９】
図において、比較判定手段１２ａは庫内温度検知手段１５で検知した庫内温度と冷却器温度検知手段８で検知した冷却器３の温度とを比較判定するものである。演算制御部１３ａは前記比較判定手段１２ａからの信号を基に表示部９に故障表示を行うとともに冷却装置６への通電を停止するもので前記比較判定手段１２ａを内蔵したものである。
【００６０】
以上のように構成された自動販売機についてその要部動作を図１４のフローチャートを参照して説明する。
【００６１】
まず、ステップ３３において、冷却器温度検知手段８により冷却器３の温度Ｔｃを検知する。次にステップ３４において、庫内温度検知手段１５により庫内温度Ｔａを検知し、ステップ３５において冷却器３の温度Ｔｃと庫内温度Ｔａの温度差Ｔｘを比較判定手段１２ａで予め設定されている所定の判定温度Ｔ２と比較判定を行う。冷却器３の温度Ｔｃと庫内温度Ｔａの温度差ＴｘがＴ２より小さい場合はステップ３３に戻る。冷却器３の温度Ｔｃと庫内温度Ｔａの温度差ＴｘがＴ２より大きい場合は、ステップ３６にてタイマー１４ａにて一定の時間を計測し、ステップ３７にて再度冷却器温度検知手段８により冷却器３の温度Ｔｃを検知し、ステップ３８にて庫内温度検知手段１５により庫内温度Ｔａを検知する。ステップ３９にて冷却器３の温度Ｔｃと庫内温度Ｔａの温度差Ｔｘを比較判定手段１２ａで予め設定されている所定の判定温度Ｔ２と比較判定を行う。ＴｘがＴ２より小さい場合はステップ３３に戻る。ＴｘがＴ２より大きい場合は、庫内ファン４が故障であると判定し、ステップ４０において演算制御部１３ａにより表示部９に庫内ファン４の故障表示を行う。さらにステップ４１において冷却装置６への通電を停止する。
【００６２】
冷却装置６の制御対象電気部品は、圧縮機（図示せず）・庫内ファン４の他に複数個の収納室１を備えている場合には電磁弁（図示せず）などがあり、これら全てが停止することになる。
【００６３】
つまり、庫内ファン４の故障時は、冷却器３で蒸発した低温低圧ガスは、庫内ファン４により熱交換されないので、冷却器３の温度は低下する。
【００６４】
よって、冷却器３の温度と庫内温度の差が一定時間所定温度以上大きくなることで故障判定を行うので、庫内ファン４の故障をより確実に早く判定することができ、庫内ファン４の故障時に表示部９に故障表示させるとともに冷却装置６への通電を停止することができる。
【００６５】
以上のように本実施の形態の自動販売機は、収納棚の下部に庫内温度検知手段１５を備え、庫内温度検知手段１５で検知した庫内温度と冷却器温度検知手段８で検知した冷却器３の温度の差が一定時間所定温度以上大きくなることで、庫内ファン４の故障と判断し表示部９に故障表示を行うとともに冷却装置６への通電を停止させるものであり、庫内ファン４のメンテナンスを促し、修理を行うことで継続して安全性を確保することができる。
【００６６】
（実施の形態６）
以下、本発明による自動販売機の実施の形態６について、図面を参照しながら説明する。なお、実施の形態１から実施の形態５と同一構成については同一符号を付して、詳細な説明を省略する。
【００６７】
図１５は、本発明の実施の形態６による自動販売機の側面断面図である。図１６は、本発明の実施の形態６による自動販売機のブロック図である。図１７は、同実施の形態の動作を示すフローチャートである。
【００６８】
図において、商品選択釦１８は扉１０の表面に設けられ販売時に商品を選択するためのもので、個々の商品に対応して売り切れ表示もできるようになっている。比較判定手段１２ａは庫内温度検知手段１５で検知した庫内温度と冷却器温度検知手段８で検知した冷却器３の温度とを比較判定するものである。演算制御部１３ａは前記比較判定手段１２ａからの信号を基に表示部９に故障表示を行うとともに冷却設定庫内の商品選択釦１８に売り切れ表示を行い、さらに冷却設定庫内の商品販売停止を行うもので前記比較判定手段１２ａを内蔵したものである。
【００６９】
以上のように構成された自動販売機についてその要部動作を図１７のフローチャートを参照して説明する。
【００７０】
まず、ステップ４２において、冷却器温度検知手段８により冷却器３の温度Ｔｃを検知する。次にステップ４３において、庫内温度検知手段１５により庫内温度Ｔａを検知し、ステップ４４において冷却器３の温度Ｔｃと庫内温度Ｔａの温度差Ｔｘを比較判定手段１２で予め設定されている所定の判定温度Ｔ２と比較判定を行う。冷却器３の温度Ｔｃと庫内温度Ｔａの温度差ＴｘがＴ２より小さい場合はステップ４２に戻る。冷却器３の温度Ｔｃと庫内温度Ｔａの温度差ＴｘがＴ２より大きい場合は、ステップ４５にてタイマー１４ａにて一定の時間を計測し、ステップ４６にて再度冷却器温度検知手段８により冷却器３の温度Ｔｃを検知し、ステップ４７にて庫内温度検知手段１５により庫内温度Ｔａを検知する。ステップ４８にて冷却器３の温度Ｔｃと庫内温度Ｔａの温度差Ｔｘを比較判定手段１２で予め設定されている所定の判定温度Ｔ２と比較判定を行う。ＴｘがＴ２より小さい場合はステップ４２に戻る。ＴｘがＴ２より大きい場合は、庫内ファン４が故障であると判定し、ステップ４９おいて演算制御部１３ａにより表示部９に庫内ファン４の故障表示を行う。さらにステップ５０において冷却設定庫内の商品選択釦１８に売り切れ表示を行い、さらに冷却設定庫内の商品販売停止を行う。
【００７１】
自動販売機は複数個の収納室１を備えている場合には、冷却設定と加温設定ができるようになっている場合があり、冷却設定されている収納室１は、販売停止となり、加温設定の収納室のみ販売できることになる。
【００７２】
つまり、庫内ファン４の故障時は、冷却器３で蒸発した低温低圧ガスは、庫内ファン４により熱交換されないので、冷却器３の温度は低下する。
【００７３】
よって、冷却器３の温度と庫内温度の差が一定時間所定温度以上大きくなることで故障判定を行うので、庫内ファン４の故障をより確実に早く判定することができ、庫内ファン４の故障時に表示部９に故障表示させるとともに冷却設定庫内の商品選択釦１８に売り切れ表示を行い、さらに冷却設定庫内の商品販売停止を行うことができる。
【００７４】
以上のように本実施の形態の自動販売機は、収納棚の下部に庫内温度検知手段１５を備え、庫内温度検知手段１５で検知した庫内温度と冷却器温度検知手段８で検知した冷却器３の温度の差が一定時間所定温度以上大きくなることで、庫内ファン４の故障と判断し表示部９に故障表示を行うとともに冷却設定庫内の商品選択釦１８に売り切れ表示を行い、さらに冷却設定庫内の商品販売停止を行うものであり、  販売停止にすることですぐに誰にでも異常な状態であることを知らしめることができ、庫内ファンの故障時により早く確実に庫内ファン４のメンテナンスを促し、修理を行うことで継続して安全性を確保することができる。
【産業上の利用可能性】
【００７５】
以上のように、本発明にかかる自動販売機は、庫内ファンモータの故障検知を、冷却器の温度から判断するものであり、冷蔵庫およびショーケースにも適用できる。
【図面の簡単な説明】
【００７６】
【図１】本発明の実施の形態１における自動販売機の側面断面図
【図２】本発明の実施の形態１における自動販売機のブロック図
【図３】本発明の実施の形態１における自動販売機のフローチャート
【図４】本発明の実施の形態２および実施の形態５における自動販売機の側面断面図
【図５】本発明の実施の形態２における自動販売機のブロック図
【図６】本発明の実施の形態２における自動販売機のフローチャート
【図７】本発明の実施の形態３における自動販売機の側面断面図
【図８】本発明の実施の形態３における自動販売機のブロック図
【図９】本発明の実施の形態３における自動販売機のフローチャート
【図１０】本発明の実施の形態４における自動販売機の側面断面図
【図１１】本発明の実施の形態４における自動販売機のブロック図
【図１２】本発明の実施の形態４における自動販売機のフローチャート
【図１３】本発明の実施の形態５における自動販売機のブロック図
【図１４】本発明の実施の形態５における自動販売機のフローチャート
【図１５】本発明の実施の形態６における自動販売機の側面断面図
【図１６】本発明の実施の形態６における自動販売機のブロック図
【図１７】本発明の実施の形態６における自動販売機のフローチャート
【符号の説明】
【００７７】
１    収納室
２    収納棚
３    冷却器
４    庫内ファン
６    冷却装置
７    可燃性冷媒
８    冷却器温度検知手段
９    表示部
１２，１２ａ    比較判定手段
１３，１３ａ    演算制御部
１５    庫内温度検知手段
１６    警報ランプ
１７    警報ブザー
１８    商品選択釦
【図１】
2005141472.tif 000003
【図２】
2005141472.tif 000004
【図３】
2005141472.tif 000005
【図４】
2005141472.tif 000006
【図５】
2005141472.tif 000007
【図６】
2005141472.tif 000008
【図７】
2005141472.tif 000009
【図８】
2005141472.tif 000010
【図９】
2005141472.tif 000011
【図１０】
2005141472.tif 000012
【図１１】
2005141472.tif 000013
【図１２】
2005141472.tif 000014
【図１３】
2005141472.tif 000015
【図１４】
2005141472.tif 000016
【図１５】
2005141472.tif 000017
【図１６】
2005141472.tif 000018
【図１７】
2005141472.tif 000019